(57)【要約】【課題】通帳に変形部がある場合にも、通帳を第２開口部から円滑に排出することができる通帳印刷装置を提供する。【解決手段】通帳２０１が挿入され、通帳２０１が排出される第１開口部、および、通帳２０１が排出される第２開口部９、が設けられた筐体と、第１開口部７と第２開口部９とを結ぶ搬送路３５と、搬送路３５に沿って、通帳２０１を搬送する搬送部と、通帳２０１に対し、印刷を行う印刷部とを備え、搬送路３５の第２開口部９側の端部には、通帳２０１の一方の面と対向する第１搬送壁部１７と、通帳２０１の他方の面と対向する第２搬送壁部１９と、が設けられ、第１搬送壁部１７および第２搬送壁部１９の少なくとも一方には、第２開口部９に近づくほど第１搬送壁部１７と第２搬送壁部１９との間隔が広くなる第１傾斜面８１が設けられている。【選択図】図６
2020135615.tif 000002
【特許請求の範囲】
【請求項１】
通帳が挿入され、前記通帳が排出される第１開口部、および、前記通帳が排出される第２開口部、が設けられた筐体と、
前記第１開口部と前記第２開口部とを結ぶ搬送路と、
前記搬送路に沿って、前記通帳を搬送する搬送部と、
前記通帳に対し、印刷を行う印刷部と、を備え、
前記搬送路の前記第２開口部側の端部には、前記通帳の一方の面と対向する第１搬送壁部と、前記通帳の他方の面と対向する第２搬送壁部と、が設けられ、
前記第１搬送壁部および前記第２搬送壁部の少なくとも一方には、前記第２開口部に近づくほど前記第１搬送壁部と前記第２搬送壁部との間隔が広くなる傾斜面、が設けられていることを特徴とする通帳印刷装置。
【請求項２】
前記印刷部は、前記通帳の前記一方の面に対して印刷を行い、
前記傾斜面は、前記第１搬送壁部に設けられていることを特徴とする請求項１に記載の通帳印刷装置。
【請求項３】
前記傾斜面は、前記第１搬送壁部と前記第２搬送壁部との間隔が、前記搬送路の幅方向における両端部の方が、前記搬送路の幅方向における中央部よりも広くなるように、形成されていることを特徴とする請求項１または２に記載の通帳印刷装置。
【請求項４】
前記搬送部は、複数の搬送ローラー対、を有し、
前記傾斜面の前記第１開口部側の端部は、前記通帳の搬送方向において、複数の前記搬送ローラー対のうちで最も前記第２開口部に近い排出側ローラー対による挟持位置と、前記排出側ローラー対の前記第２開口部側の端部と、の間に位置していることを特徴とする請求項１ないし３のいずれか一項に記載の通帳印刷装置。
【請求項５】
前記第１開口部に搬送された前記通帳が取り出されたか否かを検出する検出部と、
前記検出部の検出結果に基づいて、前記第１開口部に搬送された前記通帳が取り出されていない状態が、基準時間を超えて継続しているか否かを判断し、前記基準時間を超えて継続していると判断した場合に、前記第２開口部から前記通帳が排出されるように、前記搬送部を制御する制御部と、
を備えたことを特徴とする請求項１ないし４のいずれか一項に記載の通帳印刷装置。
【請求項６】
前記通帳に含まれる画像を読み取る画像読取り部、を備えたことを特徴とする請求項１ないし５のいずれか一項に記載の通帳印刷装置。
【請求項７】
前記第１開口部に搬送された前記通帳が取り出されたか否かを検出する検出部、を備え、
前記画像読取り部は、前記検出部として機能することを特徴とする請求項６に記載の通帳印刷装置。
【発明の詳細な説明】
【技術分野】
【０００１】
本発明は、通帳に印刷を行う通帳印刷装置に関するものである。
【背景技術】
【０００２】
従来、特許文献１が開示するように、通帳挿入口に搬送された通帳が取り忘れられた場合に、通帳を装置内に取り込み、通帳を開口部から排出する通帳類取扱い装置が知られている。
【先行技術文献】
【特許文献】
【０００３】
【特許文献１】特開昭６３−０３７９７５号公報
【発明の概要】
【発明が解決しようとする課題】
【０００４】
従来の通帳類取扱い装置では、通帳に折れやカールなどの変形部があると、取り忘れられた通帳が開口部から排出される際に、通帳の変形部が、搬送路の開口部側の端部に設けられた搬送壁部に引っ掛かりやすく、通帳を開口部から排出できないおそれがある。
【課題を解決するための手段】
【０００５】
本発明の通帳印刷装置は、通帳が挿入され、通帳が排出される第１開口部、および、通帳が排出される第２開口部、が設けられた筐体と、第１開口部と第２開口部とを結ぶ搬送路と、搬送路に沿って、通帳を搬送する搬送部と、通帳に対し、印刷を行う印刷部と、を備え、搬送路の第２開口部側の端部には、通帳の一方の面と対向する第１搬送壁部と、通帳の他方の面と対向する第２搬送壁部と、が設けられ、第１搬送壁部および第２搬送壁部の少なくとも一方には、第２開口部に近づくほど第１搬送壁部と第２搬送壁部との間隔が広くなる傾斜面、が設けられている。
【図面の簡単な説明】
【０００６】
【図１】一実施形態に係る通帳印刷装置の斜視図である。
【図２】通帳印刷装置を＋Ｙ側から見た図である。
【図３】装置本体の断面図である。
【図４】装置本体のうち、搬送路よりも−Ｚ側の部分の斜視図である。
【図５】通帳印刷装置の制御系を示すブロック図である。
【図６】搬送路の第２開口部側の端部周りの構成を示す、装置本体の部分拡大断面図である。
【図７】第２開口部側から見た第１搬送壁部および第２搬送壁部を模式的に示す図である。
【図８】第１傾斜面の変形例において、第２開口部側から見た第１搬送壁部および第２搬送壁部を模式的に示す図である。
【図９】第１傾斜面の他の変形例において、第２開口部側から見た第１搬送壁部および第２搬送壁部を模式的に示す図である。
【図１０】第２搬送壁部に第２傾斜面が設けられた変形例において、搬送路の第２開口部側の端部周りの構成を模式的に示す図である。
【発明を実施するための形態】
【０００７】
以下、添付の図面を参照しつつ、印刷装置の一実施形態である通帳印刷装置１について説明する。なお、以下の図面では、ＸＹＺ直交座標系を表示するが、説明の便宜上のものにすぎず、以下の実施形態を何ら限定するものではない。また、各部の個数などを示す数値は、いずれも例示にすぎず、以下の実施形態を何ら限定するものではない。
【０００８】
図１および図２に基づいて、通帳印刷装置１の概要について説明する。通帳印刷装置１は、銀行の支店等に設置されており、銀行の管理センター等に設置されたホストコンピューター１０１（図５参照）と通信可能に接続されている。通帳印刷装置１は、ホストコンピューター１０１から送信された印刷データに基づいて、通帳２０１に記帳すなわち印刷を行う。
【０００９】
通帳印刷装置１は、筐体３と、筐体３に収容された装置本体５（図３および図４参照）とを備えている。筐体３には、−Ｙ側の面に第１開口部７が設けられ、＋Ｙ側の面に第２開口部９が設けられている。
【００１０】
第１開口部７は、Ｘ方向に長い略長方形状に形成されている。第１開口部７には、通帳２０１が手差し挿入される。また、第１開口部７からは、後述する印刷部２３により印刷が行われた通帳２０１が取り出される。第１開口部７の外側すなわち−Ｙ側には、通帳台１１が設けられている。通帳台１１は、通帳２０１が第１開口部７に挿入される際には、通帳２０１を第１開口部７に案内するガイドとして機能する。また、通帳台１１は、印刷後に第１開口部７に搬送された通帳２０１を支持する。なお、通帳２０１は、通常、見開き状態で、第１開口部７から手差し挿入され、その状態のまま搬送されるが、これに限定されず、閉じられた状態で挿入、搬送されてもよい。また、通帳２０１の見開き外側の面には、磁気ストライプ２０３が設けられている。磁気ストライプ２０３には、通帳２０１を特定する店番号、口座番号等が記録されている。
【００１１】
第２開口部９は、Ｘ方向に長い略長方形状に形成されている。第２開口部９からは、ユーザーが取り忘れた通帳２０１が排出される。すなわち、印刷後に第１開口部７に搬送された通帳２０１が、基準時間を超えても取り出されない場合には、通帳２０１が第１開口部７から第２開口部９へ搬送され、第２開口部９から筐体３外へ排出される。なお、第２開口部９から排出された通帳２０１は、例えば、第２開口部９の−Ｚ側に設けられた通帳収容ケース（図示省略）内に落下し、通帳収容ケース内に収容される。
【００１２】
図３および図４に基づいて、装置本体５について説明する。装置本体５は、ベースフレーム１３と、２つのサイドフレーム１５と、第１搬送壁部１７と、第２搬送壁部１９とを備えている。また、装置本体５は、搬送部２１と、印刷部２３と、突当部材２５と、第１通帳検出部２７と、第２通帳検出部２９（図５参照）と、磁気読書き部３１と、画像読取り部３３とを備えている。
【００１３】
２つのサイドフレーム１５のうち、一方のサイドフレーム１５は、ベースフレーム１３の−Ｘ側の端部に設けられ、他方のサイドフレーム１５は、ベースフレーム１３の＋Ｘ側の端部に設けられている。第２搬送壁部１９は、２つのサイドフレーム１５間に設けられている。第１搬送壁部１７は、第２搬送壁部１９の＋Ｚ側に設けられている。第１搬送壁部１７と第２搬送壁部１９との間の空間は、通帳２０１が搬送される搬送路３５を構成している。すなわち、第１搬送壁部１７は、搬送路３５にて搬送される通帳２０１の＋Ｚ側の面と対向し、第２搬送壁部１９は、通帳２０１の−Ｚ側の面と対向する。搬送路３５は、第１開口部７と第２開口部９とを結んでいる。ここで、搬送路３５の第１開口部７側、すなわち通帳２０１が手差し挿入される側を、搬送路３５の上流といい、搬送路３５の第２開口部９側を、搬送路３５の下流という。搬送路３５に沿って、上流から順に、磁気読書き部３１、突当部材２５、印刷部２３、および画像読取り部３３が設けられている。
【００１４】
搬送部２１は、通帳２０１を、搬送路３５に沿って、第１搬送方向Ｄ１および第２搬送方向Ｄ２に搬送する。ここで、第１搬送方向Ｄ１は、搬送路３５の上流から下流に向かう方向を意味し、第２搬送方向Ｄ２は、搬送路３５の下流から上流に向かう方向を意味する。搬送部２１は、３つの搬送ローラー対３７と、搬送モーター３９（図５参照）と、輪列４１とを備えている。３つの搬送ローラー対３７は、搬送路３５に沿って設けられている。以下では、３つの搬送ローラー対３７を、上流から順に、第１搬送ローラー対３７ａ、第２搬送ローラー対３７ｂ、および第３搬送ローラー対３７ｃという。また、これらを区別する必要がないときには、単に、搬送ローラー対３７という。搬送ローラー対３７が回転することで、通帳２０１が搬送路３５に沿って搬送される。なお、第３搬送ローラー対３７ｃは、「排出側ローラー対」の一例である。
【００１５】
各搬送ローラー対３７は、−Ｚ側に設けられた駆動ローラー４３と、＋Ｚ側に設けられた従動ローラー４５とを備えている。駆動ローラー４３は、回転軸方向すなわちＸ方向に並んだ複数のローラー部４７を有する分割ローラーである。同様に、従動ローラー４５は、回転軸方向に並んだ複数のローラー部４７を有する分割ローラーである。通帳２０１の手差し位置や、通帳２０１の幅すなわちＸ方向における寸法、などによっては、ローラー部４７による通帳２０１の挟持箇所が、通帳２０１の幅方向すなわちＸ方向において、いずれか一方の側に偏る場合がある。この場合、通帳２０１が搬送される際に、通帳２０１が第１搬送方向Ｄ１或いは第２搬送方向Ｄ２に対して斜行する要因となり得る。
【００１６】
搬送モーター３９は、搬送ローラー対３７を回転させる駆動源である。搬送モーター３９が第１駆動方向に回転すると、通帳２０１が第１搬送方向Ｄ１に搬送され、搬送モーター３９が第１駆動方向とは反対の第２駆動方向に回転すると、通帳２０１が第２搬送方向Ｄ２に搬送される。輪列４１は、＋Ｚ側のサイドフレーム１５に設けられている。輪列４１は、搬送モーター３９の回転を搬送ローラー対３７に伝達する。
【００１７】
印刷部２３は、通帳２０１に対して印刷を行う。印刷部２３は、キャリッジ４９と、キャリッジガイド軸５１と、プラテン５３と、印刷ヘッド５５と、キャリッジモーター５７（図５参照）とを備えている。キャリッジ４９は、キャリッジモーター５７を駆動源として、Ｘ方向に往復移動する。キャリッジガイド軸５１は、Ｘ方向に延在している。キャリッジガイド軸５１は、キャリッジ４９のＸ方向への移動をガイドする。プラテン５３は、第１搬送ローラー対３７ａと第２搬送ローラー対３７ｂとの間に設けられ、Ｘ方向に延在している。印刷ヘッド５５は、キャリッジ４９に搭載されており、プラテン５３に対し、搬送路３５を間に挟んで、＋Ｚ側から対向している。印刷ヘッド５５は、Ｘ方向に移動しながら、ドットインパクト方式により、プラテン５３上に搬送された通帳２０１の＋Ｚ側の面に対して、印刷を行う。なお、印刷部２３は、ドットインパクト方式により印刷を行う構成に限定されず、例えば、インクジェット方式、電子写真方式、或いはサーマル方式により印刷を行う構成でもよい。
【００１８】
突当部材２５には、搬送される通帳２０１が突き当たる。すなわち、通帳２０１が第１搬送方向Ｄ１に搬送される際には、搬送される通帳２０１の前端２０５が、−Ｙ側から突当部材２５に突き当たり、通帳２０１が第２搬送方向Ｄ２に搬送される際には、搬送される通帳２０１の後端２０７が、＋Ｙ側から突当部材２５に突き当たる。ここで、通帳２０１の前端２０５とは、通帳２０１が第１開口部７に手差し挿入される際に前方となる側の端部、すなわち通帳２０１の＋Ｙ側の端部を意味する。通帳２０１の後端２０７とは、通帳２０１が第１開口部７に手差し挿入される際に後方となる側の端部、すなわち通帳２０１の−Ｙ側の端部を意味する。通帳２０１が第１搬送方向Ｄ１に搬送される際に、通帳２０１の前端２０５が突当部材２５に突き当たることで、通帳２０１の前端２０５がＸ方向と平行になり、通帳２０１の斜行が補正される。また、通帳２０１が第２搬送方向Ｄ２に搬送される際に、通帳２０１の後端２０７が突当部材２５に突き当たることで、通帳２０１の後端２０７がＸ方向と平行になり、通帳２０１の斜行が補正される。
【００１９】
突当部材２５は、第１搬送ローラー対３７ａと第２搬送ローラー対３７ｂとの間に設けられている。突当部材２５は、突当モーター５９（図５参照）を駆動源として、Ｚ方向に移動可能に構成されている。すなわち、突当部材２５は、搬送路３５に突出する突当位置と、搬送路３５から退避する退避位置とに移動可能である。突当部材２５は、通帳２０１を突き当てる際には、突当位置に移動し、通帳２０１を通過させる際には、退避位置に移動する。突当部材２５は、Ｘ方向に並んだ複数の突出部２６を備えている。突当部材２５が突当位置に移動すると、複数の突出部２６が第２搬送壁部１９から搬送路３５に突出する。なお、突当部材２５の駆動源は、突当モーター５９に限定されず、例えば、ソレノイドを用いてもよい。
【００２０】
第１通帳検出部２７は、第１開口部７に手差し挿入された通帳２０１の有無や、印刷後に第１開口部７に搬送された通帳２０１の有無を検出する。第１通帳検出部２７は、Ｘ方向に並んだ複数の第１光センサー６１を備えている。第１光センサー６１は、複数の突出部２６に対して僅かに上流に位置して、複数の突出部２６の相互間に設けられている。なお、第１光センサー６１に代えて、例えば、マイクロスイッチを用いてもよい。
【００２１】
第１光センサー６１の検出結果は、後述する制御部６９（図５参照）に出力される。制御部６９は、通帳２０１が第１開口部７に手差し挿入された際に、複数の第１光センサー６１のうち、１つの第１光センサー６１のみから「ＯＮ」が出力されると、通帳２０１が斜行していると判断し、２つ以上の第１光センサー６１から「ＯＮ」が出力されると、通帳２０１が斜行していない、すなわち通帳２０１の斜行が補正されたと判断する。
【００２２】
また、制御部６９は、通帳２０１が印刷後に第１開口部７に向けて第２搬送方向Ｄ２に搬送された後、少なくとも１つの第１光センサー６１から「ＯＮ」が出力されると、通帳２０１が第１開口部７に搬送されたと判断する。その後、制御部６９は、少なくとも１つの第１光センサー６１から「ＯＮ」が出力されている間は、第１開口部７から通帳２０１が取り出されていないと判断し、すべての第１光センサー６１から「ＯＦＦ」が出力されると、第１開口部７から通帳２０１が取り出されたと判断する。制御部６９は、第１開口部７に搬送された通帳２０１が取り出されていない状態が、基準時間を超えて継続しているか否かを判断し、基準時間を超えて継続していると判断した場合に、第２開口部９から通帳２０１が排出されるように、搬送部２１を制御する。
【００２３】
第２通帳検出部２９は、下流から突当部材２５に突き当たった通帳２０１の有無を検出する。第２通帳検出部２９は、図３および図４では図示省略したが、Ｘ方向に並んだ複数の第２光センサー６２（図５参照）を備えている。第２光センサー６２は、複数の突出部２６に対して僅かに下流に位置して、複数の突出部２６の相互間に設けられている。なお、第１光センサー６１と同様に、第２光センサー６２に代えて、例えば、マイクロスイッチを用いてもよい。
【００２４】
第２光センサー６２の検出結果は、制御部６９に出力される。制御部６９は、複数の第２光センサー６２のうち、１つの第２光センサー６２のみから「ＯＮ」が出力されると、通帳２０１が斜行していると判断し、２つ以上の第２光センサー６２から「ＯＮ」が出力されると、通帳２０１が斜行していない、すなわち通帳２０１の斜行が補正されたと判断する。
【００２５】
磁気読書き部３１は、通帳２０１に設けられた磁気ストライプ２０３に記録された磁気データを読み取り、また、磁気ストライプ２０３に磁気データを書き込む。磁気読書き部３１は、搬送路３５の−Ｚ側に設けられた磁気ヘッド６３と、搬送路３５の＋Ｚ側に設けられた通帳押え部６４とを備えている。磁気ヘッド６３は、磁気データの読取りおよび書込みを行う。通帳押え部６４は、通帳２０１を＋Ｚ側から第２搬送壁部１９に対して押え付け、通帳２０１が第２搬送壁部１９から浮き上がることを抑制する。磁気読書き部３１は、例えば、第１開口部７に手差し挿入された通帳２０１が、第１搬送方向Ｄ１に搬送される際に、磁気ストライプ２０３から上記の第２情報を読み取る。
【００２６】
画像読取り部３３は、第１読取り部６５と、第２読取り部６７とを備えている。第１読取り部６５は、搬送路３５の＋Ｚ側に設けられており、通帳２０１の＋Ｚ側の面に含まれる画像を読み取る。第２読取り部６７は、搬送路３５の−Ｚ側に設けられており、通帳２０１の−Ｚ側の面に含まれる画像を読み取る。第１読取り部６５は、図示省略したが、イメージセンサーと、光源とを備えている。第２読取り部６７は、第１読取り部６５と同様に、イメージセンサーと、光源とを備えている。
【００２７】
図５に基づいて、通帳印刷装置１の制御系について説明する。通帳印刷装置１は、上記した各部のほか、制御部６９と、通信部７１とを備えている。制御部６９は、通帳印刷装置１の各部を統括的に制御する。制御部６９は、ＣＰＵ７３（Central Processing Unit、プロセッサー）と、ＲＯＭ７５（Read Only Memory）と、ＲＡＭ７７（Random Access Memory）とを備えている。ＣＰＵ７３は、ＲＯＭ７５に記憶された制御プログラムを読み出し、ＲＡＭ７７を用いて実行する。通信部７１は、ホストコンピューター１０１との間で、コマンドや各種情報等を送受信する。なお、ホストコンピューター１０１は、例えば、顧客の口座番号やその暗証番号、取引履歴等の口座関連情報を格納するデータベースを保有しており、顧客の口座を管理する。
【００２８】
図６および図７に基づいて、搬送路３５の第２開口部９側の端部周りの構成について説明する。搬送路３５の第２開口部９側の端部、すなわち第３搬送ローラー対３７ｃと第２開口部９との間において、搬送路３５を構成する第１搬送壁部１７および第２搬送壁部１９のうち、第１搬送壁部１７に、第１傾斜面８１が設けられている。第１傾斜面８１は、第１開口部７側の端部が−Ｚ側となり、第２開口部９側の端部が＋Ｚとなるように、搬送路３５を構成する面すなわちＸＹ平面に対して傾斜している。第１搬送壁部１７に第１傾斜面８１が設けられていることで、第２開口部９に近づくほど、第１搬送壁部１７と第２搬送壁部１９との間隔が広くなっている。なお、図７に示したように、第１傾斜面８１は、搬送路３５の幅方向すなわちＸ方向において、第２搬送壁部１９と略平行に形成されている。すなわち、第１搬送壁部１７と第２搬送壁部１９との間隔は、搬送路３５の幅方向における両端部と中央部とで、略等しくなっている。
【００２９】
ここで、通帳２０１には、例えば通帳２０１の所有者により粗雑に取り扱われたために、折れやカールなどの変形部２０９が生じている場合がある。通帳２０１の外側の紙つまり表紙よりも、通帳２０１の内側の紙の方が薄いため、変形部２０９は、通帳２０１の内側の紙に生じやすい。上述したように、印刷部２３は、通帳２０１の＋Ｚ側の面に対して印刷を行うため、通帳２０１は、印刷部２３により印刷が行われる内側の紙が＋Ｚ側を向き、表紙が−Ｚ側を向いた姿勢で、搬送される。このため、通帳２０１の変形部２０９は、＋Ｚ側すなわち第１搬送壁部１７に向かって変形していることが多い。なお、図６では、通帳２０１の後端２０７に変形部２０９が生じた例を示している。
【００３０】
通帳２０１に例えば変形量Ｃが５ｍｍの変形部２０９があると、第１搬送壁部１７に第１傾斜面８１が設けられていない構成では、変形部２０９が第１搬送壁部１７に引っ掛かり、通帳２０１を第２開口部９から排出することができないおそれがある。これに対し、本実施形態では、第１搬送壁部１７に第１傾斜面８１が設けられていることで、変形部２０９が第１搬送壁部１７に引っ掛かることを抑制することができ、通帳２０１を第２開口部９から排出することができる。なお、変形部２０９の変形量Ｃとは、搬送路３５を構成する面に対して垂直な方向すなわちＺ方向における変形部２０９の寸法を意味する。
【００３１】
第１傾斜面８１のサイズや傾斜角度θは、特に限定されないが、例えば、第１傾斜面８１の寸法Ｄｙが１５ｍｍ以上、寸法Ｄｚが５ｍｍ以上、傾斜角度θが１８°以上であることが好ましく、この構成では、変形部２０９の変形量Ｃが例えば５ｍｍである場合にも、通帳２０１を第２開口部９から排出することができる。また、第１傾斜面８１の寸法Ｄｙが１８ｍｍ以上、寸法Ｄｚが１０ｍｍ以上、傾斜角度θが２９°以上であることがより好ましく、この構成では、変形部２０９の変形量Ｃがより大きい場合、例えば２０ｍｍである場合にも、通帳２０１を第２開口部９から排出することができる。なお、第１傾斜面８１の寸法Ｄｙとは、第１搬送方向Ｄ１すなわちＹ方向における第１傾斜面８１の寸法を意味する。第１傾斜面８１の寸法Ｄｚとは、搬送路３５を構成する面に対して垂直な方向すなわちＺ方向における第１傾斜面８１の寸法を意味する。第１傾斜面８１の傾斜角度θとは、搬送路３５を構成する面すなわちＸＹ平面に対する第１傾斜面８１の角度を意味する。
【００３２】
ここで、第１傾斜面８１の第１開口部７側すなわち−Ｙ側の端部を、第１側傾斜端部８３という。また、第３搬送ローラー対３７ｃの第２開口部９側すなわち＋Ｙ側の端部を、第２側ローラー端部８５という。第１側傾斜端部８３は、第１搬送方向Ｄ１において、第３搬送ローラー対３７ｃによる挟持位置８７と、第２側ローラー端部８５との間、すなわち図６にて符号Ｒで示した範囲内に位置している。すなわち、第１側傾斜端部８３は、挟持位置８７よりも第２開口部９側に位置している。これにより、第２開口部９から進入した指等の異物が第３搬送ローラー対３７ｃに触れることを抑制することができる。また、挟持位置８７から第１側傾斜端部８３までの距離を、極力短くすることができる。これにより、通帳２０１の後端２０７が挟持位置８７を外れた後、すぐに第１側傾斜端部８３に達するため、通帳２０１の変形部２０９が第１搬送壁部１７に引っ掛かることを、より効果的に抑制することができる。
【００３３】
上記の実施形態に限定されず、その趣旨を逸脱しない範囲で種々の構成を採用可能であることは言うまでもない。例えば、上記の実施形態は、上述したほか、以下のような形態に変更することができる。
【００３４】
通帳２０１の変形部２０９は、通帳２０１の幅方向すなわちＸ方向における両端部に生じることが多い。このため、通帳２０１の変形部２０９は、搬送路３５の幅方向における両端部、すなわち＋Ｘ側の端部或いは−Ｘ側の端部、を通過することが多い。そこで、第１傾斜面８１は、第１搬送壁部１７と第２搬送壁部１９との間隔が、搬送路３５の幅方向における両端部の方が、搬送路３５の幅方向における中央部よりも広くなるように、形成されていてもよい。例えば、第１傾斜面８１は、第２開口部９側すなわち＋Ｙ側から見た断面形状が、図８に示したように、略「Ｖ」字状に形成されていてもよく、図９に示したように、凹部状に形成されていてもよい。
【００３５】
この構成によれば、通帳２０１の変形部２０９が通過することが多い搬送路３５の幅方向における両端部において、第１搬送壁部１７と第２搬送壁部１９との間隔が広くなる。これにより、通帳２０１の変形部２０９が、第１搬送壁部１７に引っ掛かることを抑制することができる。また、通帳２０１の変形部２０９が通過することが少ない搬送路３５の幅方向における中央部において、第１搬送壁部１７と第２搬送壁部１９との間隔が狭くなる。これにより、第２開口部９から搬送路３５内に指等の異物が進入することを抑制することができる。なお、図７に示したように、第１搬送壁部１７と第２搬送壁部１９との間隔が、搬送路３５の幅方向における両端部と中央部とで略等しい構成では、様々な幅の通帳２０１に対応することができる。
【００３６】
第１搬送壁部１７に第１傾斜面８１が設けられた構成では、第２開口部９に近づくほど、第１搬送壁部１７と第２搬送壁部１９との間隔が広くなる。このため、上述したように、第１搬送壁部１７に向かって変形した通帳２０１の変形部２０９が、第１搬送壁部１７に引っ掛かることを抑制することが可能であるのみならず、第２搬送壁部１９に向かって変形した通帳２０１の変形部２０９が、第２搬送壁部１９に引っ掛かることを抑制することも可能である。
【００３７】
また、第１搬送壁部１７に第１傾斜面８１が設けられる代わりに、図１０に示したように、第２搬送壁部１９に第２傾斜面８９が設けられた構成でもよい。第２搬送壁部１９に第２傾斜面８９が設けられた構成についても、第２開口部９に近づくほど、第１搬送壁部１７と第２搬送壁部１９との間隔が広くなる。このため、第１搬送壁部１７に向かって変形した通帳２０１の変形部２０９が、第１搬送壁部１７に引っ掛かることを抑制することができ、また、第２搬送壁部１９に向かって変形した通帳２０１の変形部２０９が、第２搬送壁部１９に引っ掛かることを抑制することができる。なお、第２傾斜面８９についても、第１傾斜面８１と同様に、第１搬送壁部１７と第２搬送壁部１９との間隔が、搬送路３５の幅方向における両端部と中央部とで、略等しくなっていてもよく、搬送路３５の幅方向における両端部の方が、搬送路３５の幅方向における中央部よりも広くなるように、形成されていてもよい。さらに、第１搬送壁部１７に第１傾斜面８１が設けられると共に、第２搬送壁部１９に第２傾斜面８９が設けられた構成でもよい。
【００３８】
以下、通帳印刷装置１について付記する。
通帳印刷装置１は、通帳２０１が挿入され、通帳２０１が排出される第１開口部７、および、通帳２０１が排出される第２開口部９、が設けられた筐体３と、第１開口部７と第２開口部９とを結ぶ搬送路３５と、搬送路３５に沿って、通帳２０１を搬送する搬送部２１と、通帳２０１に対し、印刷を行う印刷部２３と、を備え、搬送路３５の第２開口部９側の端部には、通帳２０１の一方の面と対向する第１搬送壁部１７と、通帳２０１の他方の面と対向する第２搬送壁部１９と、が設けられ、第１搬送壁部１７および第２搬送壁部１９の少なくとも一方には、第２開口部９に近づくほど第１搬送壁部１７と第２搬送壁部１９との間隔が広くなる第１傾斜面８１、が設けられている。
【００３９】
この構成によれば、第１搬送壁部１７および第２搬送壁部１９の少なくとも一方に、第１傾斜面８１が設けられていることで、通帳２０１に変形部２０９がある場合にも、通帳２０１の変形部２０９が、第１搬送壁部１７或いは第２搬送壁部１９に引っ掛かることを抑制することができる。したがって、通帳２０１に変形部２０９がある場合にも、通帳２０１を第２開口部９から円滑に排出することができる。
【００４０】
この場合、印刷部２３は、通帳２０１の一方の面に対して印刷を行い、第１傾斜面８１は、第１搬送壁部１７に設けられていることが好ましい。
【００４１】
この構成によれば、通帳２０１の変形部２０９が、印刷が行われる一方の面と対向する第１搬送壁部１７側に向かって変形している場合に、その変形部２０９が、第１搬送壁部１７に引っ掛かることを抑制することができる。
【００４２】
この場合、第１傾斜面８１は、第１搬送壁部１７と第２搬送壁部１９との間隔が、搬送路３５の幅方向における両端部の方が、搬送路３５の幅方向における中央部よりも広くなるように、形成されていることが好ましい。
【００４３】
この構成によれば、通帳２０１の変形部２０９が通過することが多い搬送路３５の幅方向における両端部において、第１搬送壁部１７と第２搬送壁部１９との間隔が広くなる。これにより、通帳２０１の変形部２０９が、第１搬送壁部１７に引っ掛かることを抑制することができる。また、通帳２０１の変形部２０９が通過することが少ない搬送路３５の幅方向における中央部において、第１搬送壁部１７と第２搬送壁部１９との間隔が狭くなる。これにより、第２開口部９から搬送路３５内に指等の異物が進入することを抑制することができる。
【００４４】
この場合、搬送部２１は、複数の搬送ローラー対３７、を有し、第１傾斜面８１の第１開口部７側の端部である第１側傾斜端部８３は、通帳２０１の第１搬送方向Ｄ１において、複数の搬送ローラー対３７のうちで最も第２開口部９に近い第３搬送ローラー対３７ｃによる挟持位置８７と、第３搬送ローラー対３７ｃの第２開口部９側の端部である第２側ローラー端部８５と、の間に位置していることが好ましい。
【００４５】
この構成によれば、第１側傾斜端部８３は、挟持位置８７よりも第２開口部９側に位置している。これにより、第２開口部９から進入した指等の異物が第３搬送ローラー対３７ｃに触れることを抑制することができる。また、挟持位置８７から第１側傾斜端部８３までの距離を、極力短くすることができる。これにより、通帳２０１の後端２０７が挟持位置８７を外れた後、すぐに第１側傾斜端部８３に達するため、通帳２０１の変形部２０９が第１搬送壁部１７に引っ掛かることを、より効果的に抑制することができる。
【００４６】
この場合、第１開口部７に搬送された通帳２０１が取り出されたか否かを検出する第１通帳検出部２７と、第１通帳検出部２７の検出結果に基づいて、第１開口部７に搬送された通帳２０１が取り出されていない状態が、基準時間を超えて継続しているか否かを判断し、基準時間を超えて継続していると判断した場合に、第２開口部９から通帳２０１が排出されるように、搬送部２１を制御する制御部６９と、を備えたことが好ましい。
【００４７】
この構成によれば、基準時間を経過しても第１開口部７から通帳２０１が取り出されない場合に、第２開口部９から通帳２０１が排出される。これにより、利用者が通帳２０１を第１開口部７から取り忘れた場合にも、次の利用者が通帳印刷装置１を利用することができる。
【００４８】
この場合、通帳２０１に含まれる画像を読み取る画像読取り部３３、を備えたことが好ましい。
この構成によれば、通帳２０１に含まれる画像を読み取ることができる。
【００４９】
この場合、第１開口部７に搬送された通帳２０１が取り出されたか否かを検出する検出部、を備え、画像読取り部３３は、検出部として機能することが好ましい。
【００５０】
この構成によれば、画像読取り部３３と検出部とを別々に備える必要がないため、部品点数を削減することができる。
【符号の説明】
【００５１】
５…装置本体、９…第２開口部、１７…第１搬送壁部、１９…第２搬送壁部、３５…搬送路、３７ｃ…第３搬送ローラー対、８１…第１傾斜面、８３…第１側傾斜端部、８５…第２側ローラー端部、８７…挟持位置、２０１…通帳、２０７…通帳の後端、２０９…変形部、Ｃ…変形量、Ｄ１…第１搬送方向、Ｄ２…第２搬送方向、Ｄｙ…Ｙ方向における第１傾斜面の寸法、Ｄｚ…Ｚ方向における第１傾斜面の寸法、θ…傾斜角度。
【図１】
2020135615.tif 000003
【図２】
2020135615.tif 000004
【図３】
2020135615.tif 000005
【図４】
2020135615.tif 000006
【図５】
2020135615.tif 000007
【図６】
2020135615.tif 000008
【図７】
2020135615.tif 000009
【図８】
2020135615.tif 000010
【図９】
2020135615.tif 000011
【図１０】
2020135615.tif 000012